(57)【要約】【課題】  カラー通信での差別化を図る。【解決手段】  カラー情報を通信可能なファクシミリ装置において、前手順にて、色空間ｓＹＣＣでのＪＰＥＧ符号化情報・デジタルスチカメラ情報をネゴシエーションする手段を有し、受信時に、相手送信機より色空間ｓＹＣＣでのＪＰＥＧ符号化情報の送信指定、及び、デジタルスチルカメラ情報の送信指定があれば、受信した情報は、記憶手段に記憶する。また、受信時に、相手送信機より、デジタルスチルカメラ情報の送信指定が無ければ、受信した情報は、記録紙にプリントする。  受信時、デジタルスチカメラ情報を受信できるメモリ容量、カラー情報を記録するための記録材有無に基づいて、受信機から送信機に、色空間ｓＹＣＣでのＪＰＥＧ符号化情報の受信機能、及び、デジタルスチカメラ情報の受信機能を適切に通知する。【選択図】  図１
2007043296.tif 000002
【特許請求の範囲】
【請求項１】
カラー情報を通信可能なファクシミリ装置において、前手順にて、受信機から送信機に、色空間ｓＹＣＣでのＪＰＥＧ符号化情報の受信機能の有無を通知する手段、デジタルスチカメラ情報の受信機能の有無を通知する手段、一方、送信機から受信機に、色空間ｓＹＣＣでのＪＰＥＧ符号化情報の送信を指定する手段、デジタルスチカメラ情報の送信を指定する手段、デジタルスチルカメラ情報の通信を選択する手段を有し、受信時に、相手送信機より色空間ｓＹＣＣでのＪＰＥＧ符号化情報の送信指定、及び、デジタルスチルカメラ情報の送信指定があれば、受信した情報は、記憶手段に記憶する事を特徴とするファクシミリ装置。
【請求項２】
請求項１に記載のファクシミリ装置において、受信時に、相手送信機より、デジタルスチルカメラ情報の送信指定が無ければ、受信した情報は、記録紙にプリントする事を特徴とするファクシミリ装置。
【請求項３】
請求項１、又は請求項２に記載のファクシミリ装置において、受信時、デジタルスチカメラ情報を受信できるメモリ容量が、所定容量以上無いと、受信機から送信機に、デジタルスチカメラ情報の受信機能の無しを通知する事を特徴とするファクシミリ装置。
【請求項４】
請求項１、請求項２、又は請求項３に記載のファクシミリ装置において、受信時、カラー情報を記録するための記録材が無くても、デジタルスチカメラ情報を受信できるメモリ容量が、所定容量以上あると、前手順にて、受信機から送信機に、色空間ｓＹＣＣでのＪＰＥＧ符号化情報の受信機能の有り、及び、デジタルスチカメラ情報の受信機能の有りを通知する事を特徴とするファクシミリ装置。
【請求項５】
請求項１〜請求項４のいずれかに記載のファクシミリ装置において、受信時、カラー情報を記録するための記録材が無く、かつ、デジタルスチカメラ情報を受信できるメモリ容量が、所定容量以上無いと、前手順にて、受信機から送信機に、色空間ｓＹＣＣでのＪＰＥＧ符号化情報の受信機能の無し、及び、デジタルスチカメラ情報の受信機能の無しを通知する事を特徴とするファクシミリ装置。
【請求項６】
請求項１〜請求項５のいずれかに記載のファクシミリ装置において、受信時、カラー情報を記録するための記録材があり、かつ、デジタルスチカメラ情報を受信できるメモリ容量が、所定容量以上あると、前手順にて、受信機から送信機に、色空間ｓＹＣＣでのＪＰＥＧ符号化情報の受信機能の有り、及び、デジタルスチカメラ情報の受信機能の有りを通知する事を特徴とするファクシミリ装置。
【請求項７】
カラー情報を通信可能なファクシミリ通信方式において、前手順にて、受信機から送信機に、色空間ｓＹＣＣでのＪＰＥＧ符号化情報の受信機能の有無を通知する手段、デジタルスチカメラ情報の受信機能の有無を通知する手段、一方、送信機から受信機に、色空間ｓＹＣＣでのＪＰＥＧ符号化情報の送信を指定する手段、デジタルスチカメラ情報の送信を指定する手段、デジタルスチルカメラ情報の通信を選択する手段を有し、受信時に、相手送信機より色空間ｓＹＣＣでのＪＰＥＧ符号化情報の送信指定、及び、デジタルスチルカメラ情報の送信指定があれば、受信した情報は、記憶手段に記憶する事を特徴とするファクシミリ通信方式。
【請求項８】
請求項７に記載のファクシミリ通信方式において、受信時に、相手送信機より、デジタルスチルカメラ情報の送信指定が無ければ、受信した情報は、記録紙にプリントする事を特徴とするファクシミリ通信方式。
【請求項９】
請求項７、又は請求項８に記載のファクシミリ通信方式において、受信時、デジタルスチカメラ情報を受信できるメモリ容量が、所定容量以上無いと、受信機から送信機に、デジタルスチカメラ情報の受信機能の無しを通知する事を特徴とするファクシミリ通信方式。
【請求項１０】
請求項７、請求項８、又は請求項９に記載のファクシミリ通信方式において、受信時、カラー情報を記録するための記録材が無くても、デジタルスチカメラ情報を受信できるメモリ容量が、所定容量以上あると、前手順にて、受信機から送信機に、色空間ｓＹＣＣでのＪＰＥＧ符号化情報の受信機能の有り、及び、デジタルスチカメラ情報の受信機能の有りを通知する事を特徴とするファクシミリ通信方式。
【請求項１１】
請求項７〜請求項１０のいずれかに記載のファクシミリ通信方式において、受信時、カラー情報を記録するための記録材が無く、かつ、デジタルスチカメラ情報を受信できるメモリ容量が、所定容量以上無いと、前手順にて、受信機から送信機に、色空間ｓＹＣＣでのＪＰＥＧ符号化情報の受信機能の無し、及び、デジタルスチカメラ情報の受信機能の無しを通知する事を特徴とするファクシミリ通信方式。
【請求項１２】
請求項７〜請求項１１のいずれかに記載のファクシミリ通信方式において、受信時、カラー情報を記録するための記録材があり、かつ、デジタルスチカメラ情報を受信できるメモリ容量が、所定容量以上あると、前手順にて、受信機から送信機に、色空間ｓＹＣＣでのＪＰＥＧ符号化情報の受信機能の有り、及び、デジタルスチカメラ情報の受信機能の有りを通知する事を特徴とするファクシミリ通信方式。
【発明の詳細な説明】
【技術分野】
【０００１】
本発明は、ファクシミリ装置、特に、ＪＰＥＧ情報を通信可能なファクシミリ装置に関するものである。
【背景技術】
【０００２】
従来のカラー情報を通信可能なファクシミリ装置は、ＩＴＵ−Ｔ勧告Ｔ．３０、Ｔ．４、Ｔ．８１、Ｔ．４２で、決まっていて、色空間Ｌａｂでのカラー通信であった。例えば、特開平０６−１２５４７０のカラーファクシミリ装置にて、色空間Ｌａｂでのカラーファクシミリ通信が記載されている。
【０００３】
最近は、デジタルカメラが普及して、デジタルカメラで撮影した情報をそのままファクシミリプロトコルを使用して送信したいというニーズが高まってきた。これに伴い、デジタルカメラで使用している色空間はＬａｂでなく、色空間ｓＹＣＣでのカラー通信である。このため、色空間ｓＹＣＣでのＪＰＥＧ符号化情報をそのまま送信するプロトコルがＩＴＵ−Ｔにて、標準化された。例えば、特開２００３−３７７４１の画像通信装置および画像通信方法にて、色空間ｓＹＣＣでのカラーファクシミリ通信が記載されている。
【０００４】
又、別の従来例としては、特許文献１及び特許文献２をあげることが出来る。
【特許文献１】特開平０６−１２５４７０号公報
【特許文献２】特開２００３−３７７４１号公報
【発明の開示】
【発明が解決しようとする課題】
【０００５】
しかしながら、色空間ｓＹＣＣのＪＰＥＧフルカラー送信を考えると、カラー原稿情報の送信のケースとデジタルカメラで撮影しコンパクトフラッシュ（登録商標）カードに格納されているファイル情報送信のケースがある。
【０００６】
ここで、受信機側では、理想的には、カラー原稿情報はカラープリントし、デジタルスチルカメラで撮影した情報はカードＩ／Ｆを介して、コンパクトフラシュカードに格納して再利用する事が望ましい。その判りやすい図面が図４に図示されている。
【０００７】
図４には、送信機（ＦＡＸ１（１００））と受信機（ＦＡＸ２（２００））が電話回線で接続されている図が図示されている。ここで、ＦＡＸ１には、原稿情報を読み取るためのスキャナー（１０２）（このスキャナーを使用してカラー原稿情報を読み取る）があり、また、カードＩ／Ｆ（１０４）を有し、例えば、デジタルスチルカメラ（１２０）で撮影し、コンパクトフラッシュ（登録商標）カード（１０６）を介して、カードＩ／Ｆにセットする。一方、ＦＡＸ２には、受信情報を記録するためのプリンタ（２０８）（このプリンタを使用してカラー原稿情報をプリントする）があり、また、カードＩ／Ｆ（２０４）を有し、例えば、受信したデジタルスチルカメラをコンパクトフラッシュ（登録商標）カード（２０６）に格納する。そして、このコンパクトフラッシュ（登録商標）カード（２０６）をデジタルスチルカメラ（１２０）にセットして、受信情報を再利用する。
【０００８】
しかしながら、受信機側では、カラー原稿情報はカラープリントし、デジタルスチルカメラで撮影した情報はカードＩ／Ｆを介して、コンパクトフラシュカードに格納して再利用する事が必ずしもできないという欠点があった。
【課題を解決するための手段】
【０００９】
第１の本発明によれば、カラー情報を通信可能なファクシミリ装置において、前手順にて、受信機から送信機に、色空間ｓＹＣＣでのＪＰＥＧ符号化情報の受信機能の有無を通知する手段、デジタルスチカメラ情報の受信機能の有無を通知する手段、一方、送信機から受信機に、色空間ｓＹＣＣでのＪＰＥＧ符号化情報の送信を指定する手段、デジタルスチカメラ情報の送信を指定する手段、デジタルスチルカメラ情報の通信を選択する手段を有し、受信時に、相手送信機より色空間ｓＹＣＣでのＪＰＥＧ符号化情報の送信指定、及び、デジタルスチルカメラ情報の送信指定があれば、受信した情報は、記憶手段に記憶する事が可能になった。第２の本発明によれば、第１の本発明のファクシミリ装置において、受信時に、相手送信機より、デジタルスチルカメラ情報の送信指定が無ければ、受信した情報は、記録紙にプリントする事が可能になった。第３の本発明によれば、第１、２の本発明のファクシミリ装置において、受信時、デジタルスチカメラ情報を受信できるメモリ容量が、所定容量以上無いと、受信機から送信機に、デジタルスチカメラ情報の受信機能の無しを通知する事が可能になった。第４の本発明によれば、第１、２、３の本発明のファクシミリ装置において、受信時、カラー情報を記録するための記録材が無くても、デジタルスチカメラ情報を受信できるメモリ容量が、所定容量以上あると、前手順にて、受信機から送信機に、色空間ｓＹＣＣでのＪＰＥＧ符号化情報の受信機能の有り、及び、デジタルスチカメラ情報の受信機能の有りを通知する事が可能になった。第５の本発明によれば、第１、第２、第３、第４の本発明のファクシミリ装置において、受信時、カラー情報を記録するための記録材が無く、かつ、デジタルスチカメラ情報を受信できるメモリ容量が、所定容量以上無いと、前手順にて、受信機から送信機に、色空間ｓＹＣＣでのＪＰＥＧ符号化情報の受信機能の無し、及び、デジタルスチカメラ情報の受信機能の無しを通知する事が可能になった。第６の本発明によれば、第１、第２、第３、第４、第５の本発明のファクシミリ装置において、受信時、カラー情報を記録するための記録材があり、かつ、デジタルスチカメラ情報を受信できるメモリ容量が、所定容量以上あると、前手順にて、受信機から送信機に、色空間ｓＹＣＣでのＪＰＥＧ符号化情報の受信機能の有り、及び、デジタルスチカメラ情報の受信機能の有りを通知する事が可能になった。
【００１０】
これらにより、受信時に、所定容量以上のメモリ容量が無いと、デジタルスチルカメラ情報の受信機能を無しとする事ができ、基本的には、送信機でカラー原稿情報を読み取った（具体的には、送信機から受信機に、色空間ｓＹＣＣでのＪＰＥＧ符号化情報の送信指定があるが、デジタルスチカメラ情報の送信指定が無い時）には、受信機でカラープリントの実行が可能になった。一方、送信機でデジタルスチルカメラ情報を送信した（送信機から受信機に、色空間ｓＹＣＣでのＪＰＥＧ符号化情報の送信指定、及び、デジタルスチカメラ情報の送信指定があった時）には、メモリ受信を実行し、受信情報の再利用が可能になった。
【発明の効果】
【００１１】
第１、第２、第３、第４、第５、第６の本発明によれば、受信時に、所定容量以上のメモリ容量が無いと、デジタルスチルカメラ情報の受信機能を無しとする事ができ、基本的には、送信機でカラー原稿情報を読み取った（具体的には、送信機から受信機に、色空間ｓＹＣＣでのＪＰＥＧ符号化情報の送信指定があるが、デジタルスチルカメラ情報の送信指定が無い時）には、受信機でカラープリントの実行が可能になった。一方、送信機でデジタルスチルカメラ情報を送信した（送信機から受信機に、色空間ｓＹＣＣでのＪＰＥＧ符号化情報の送信指定、及び、デジタルスチルカメラ情報の送信指定があった時）には、メモリ受信を実行し、受信情報の再利用が可能になった。
【発明を実施するための最良の形態】
【００１２】
次に、本発明の詳細を実施例の記述に従って説明する。
【実施例１】
【００１３】
以下、図面に示す実施の形態に基づいて、本発明を詳細に説明する。
【００１４】
図１には、本発明の実施の形態であるファクシミリ装置がブロック図として図示されている。
【００１５】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１６】
４は、電話機である。
【００１７】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１８】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基ずいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１９】
１０は、発呼回路であり、バス２６からの信号により、電話番号情報を入力し、信号線１０ａにＤＴＭＦの選択信号を出力する。
【００２０】
１２は、加算回路であり、信号線８ａの情報と信号線１０ａの情報を入力し、加算した結果を信号線１２ａに出力する。
【００２１】
１４は、カラー読み取り可能な読取回路であり、読み取りデータをバス２６に出力する。
【００２２】
１６は、カラー記録可能な記録回路であり、バス２６に出力されている情報を順次１ライン毎に記録する。
【００２３】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納する。
【００２４】
２０は、操作部であり、ワンタッチダイヤル、短縮ダイヤル、テンキー、＊キー、＃キー、スタートキー、ストップキー、セットキー、デジタルスチルカメラ情報の送信を選択するキー、その他のファンクションキーがあり、押下されたキー情報はバス２６に出力される。
【００２５】
操作部には、表示部があり、バス２６に出力されている情報を入力し、表示する。
【００２６】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２７】
２６は、バスである。
【００２８】
２８は、カードインターフェイスであり、３０のカード（例えば、デジタルカメラで撮影した情報が記憶されているコンパクトフラッシュ（登録商標）カード）がセットされる。
【００２９】
図２には、本発明により、カラー関連のビット情報、さらに、新規にＩＴＵ−Ｔ勧告Ｔ．３０に追加する情報が図示されている。
【００３０】
ＤＩＳ／ＤＴＣ信号のＦＩＦの６８ビットにより、色空間ＬａｂでのＪＰＥＧ符号化での受信機能の有無を通知し、ＤＣＳ信号のＦＩＦの６８ビットにより、色空間ＬａｂでのＪＰＥＧ符号化での送信を指定をする。
【００３１】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００３２】
ＤＩＳ／ＤＴＣ信号のＦＩＦの１２７ビットにより、色空間ｓＹＣＣでのＪＰＥＧ符号化受信機能の有無を通知し、ＤＣＳ信号のＦＩＦの１２７ビットにより、色空間ｓＹＣＣでのＪＰＥＧ符号化送信を指定をする。
【００３３】
ＤＩＳ／ＤＴＣ信号のＦＩＦのＸビットにより、デジタルスチルカメラ情報の受信機能の有無を通知し、ＤＣＳ信号のＦＩＦのＸビットにより、デジタルスチルカメラ情報の送信を指定をする。
【００３４】
２４は、カラー情報を通信可能なファクシミリ装置において、前手順にて、受信機から送信機に、色空間ｓＹＣＣでのＪＰＥＧ符号化情報の受信機能の有無を通知する手段、デジタルスチカメラ情報の受信機能の有無を通知する手段、一方、送信機から受信機に、色空間ｓＹＣＣでのＪＰＥＧ符号化情報の送信を指定する手段、デジタルスチカメラ情報の送信を指定する手段、デジタルスチルカメラ情報の通信を選択する手段を有し、受信時に、相手送信機より色空間ｓＹＣＣでのＪＰＥＧ符号化情報の送信指定、及び、デジタルスチルカメラ情報の送信指定があれば、受信した情報は、記憶手段に記憶する。ここで、受信時に、相手送信機より、デジタルスチルカメラ情報の送信指定が無ければ、受信した情報は、記録紙にプリントする。
【００３５】
図３には、本発明の制御の概念図が図示されている。ここでは、受信時、受信機の状態、具体的には、デジタルスチカメラ情報を受信できるメモリ容量が所定容量以上か（ＹＥＳで○）、記録紙と４色カラーインクの有無（有りで○）に基づいて、送信するＤＩＳ／ＤＴＣ信号での色空間ｓＹＣＣでのＪＰＥＧ符号化情報の受信機能の有無、デジタルスチルカメラ情報の受信機能の有無を示している。
【００３６】
さらに、これらのＤＩＳ／ＤＴＣ信号に対して、送信機から送信されるＤＣＳ信号の色空間ｓＹＣＣでのＪＰＥＧ符号化情報の送信指定、デジタルスチルカメラ情報の送信指定に基ずいて、例えば、コンパクトフラッシュ（登録商標）カードにメモリ受信したり、記録紙にプリントする事を表している。ここで、※のケースでは、色空間ｓＹＣＣでのカラープリントが実行できないので、再度、色空間ｓＹＣＣでのＪＰＥＧ符号化情報の受信機能の無し、及び、デジタルスチルカメラ情報の受信機能の無しを通知する事がポイントである。
【００３７】
受信時のコンパクトフラッシュ（登録商標）カード内の使用可能なメモリ容量と記録紙と４色カラーインクの有無に基づいて、以下の制御を実行する。
【００３８】
受信時、デジタルスチルカメラ情報を受信できるメモリ容量が、所定容量以上無いと、受信機から送信機に、デジタルスチルカメラ情報の受信機能の無しを通知する。
【００３９】
受信時、カラー情報を記録するための記録材が無くても、デジタルスチルカメラ情報を受信できるメモリ容量が、所定容量以上あると、前手順にて、受信機から送信機に、色空間ｓＹＣＣでのＪＰＥＧ符号化情報の受信機能の有り、及び、デジタルスチルカメラ情報の受信機能の有りを通知する。
【００４０】
受信時、カラー情報を記録するための記録材が無く、かつ、デジタルスチルカメラ情報を受信できるメモリ容量が、所定容量以上無いと、前手順にて、受信機から送信機に、色空間ｓＹＣＣでのＪＰＥＧ符号化情報の受信機能の無し、及び、デジタルスチルカメラ情報の受信機能の無しを通知する。
【００４１】
受信時、カラー情報を記録するための記録材があり、かつ、デジタルスチルカメラ情報を受信できるメモリ容量が、所定容量以上あると、前手順にて、受信機から送信機に、色空間ｓＹＣＣでのＪＰＥＧ符号化情報の受信機能の有り、及び、デジタルスチルカメラ情報の受信機能の有りを通知する。
【００４２】
以上の制御プログラムが格納されている。
【００４３】
図５、図６、図７、図８、図９には、図１の制御の流れ図が図示されている。
【００４４】
図５において、S0は、始めを表している。
【００４５】
S２は、バス２６を介して、メモリ１８をイニシャライズする事を表している。
【００４６】
S４は、バス２６を介して、操作部の表示部をクリアする事を表している。
【００４７】
S６では、バス２６を介してＮＣＵ２のCMLをオフする。
【００４８】
Ｓ８では、ファクシミリ受信が選択されたか否かが判断されＹＥＳであるとＳ１２に進み、ＮＯであるとＳ１０に進み、その他の処理をする。
【００４９】
Ｓ１２では、バス２６を介してＮＣＵ２のCMLをオンする。
【００５０】
Ｓ１４では、ＣＦカードの使用可能なメモリ容量は、５Ｍｂｙｔｅ以上であるか否かが判断され、ＹＥＳであるとＳ１６に進み、ＮＯであるとＳ３８に進む。
【００５１】
Ｓ１６では、記録紙と４色カラーインクがあるか否かが判断され、ＹＥＳであるとＳ２０に進み、ＮＯであるとＳ１８に進む。
【００５２】
Ｓ１８は前手順を表している。ここで、ＤＩＳ信号のＦＩＦの１２７、Ｘビットは１とする。
【００５３】
Ｓ２０は前手順を表している。ここで、ＤＩＳ信号のＦＩＦの１２７、Ｘビットは１とする。
【００５４】
Ｓ２２では、ＤＣＳ信号のＦＩＦのＸビットは１であるか否かが判断され、ＹＥＳであるとＳ２４に進み、ＮＯであるとＳ２８に進む。
【００５５】
Ｓ２４は、色空間ｓＹＣＣのＪＰＥＧ符号化情報をＣＦカードに受信する事を表している。
【００５６】
Ｓ２６は、後手順を表している。
【００５７】
Ｓ２８は、受信した情報をプリントする事を表している。
【００５８】
Ｓ３０は、後手順を表している。
【００５９】
Ｓ３２では、ＤＣＳ信号のＦＩＦのＸビットは１であるか否かが判断され、ＹＥＳであるとＳ２４に進み、ＮＯであるとＳ３４に進む。
【００６０】
Ｓ３４では、ＤＣＳ信号のＦＩＦの１２７ビットは１であるか否かが判断され、ＹＥＳであるとＳ３６に進み、ＮＯであるとＳ２８に進む。
【００６１】
Ｓ３６は前手順を表している。ここで、ＤＩＳ信号のＦＩＦの１２７、Ｘビットは０とする。
【００６２】
Ｓ３８では、記録紙と４色カラーインクがあるか否かが判断され、ＹＥＳであるとＳ４０に進み、ＮＯであるとＳ３６に進む。
【００６３】
Ｓ４０は前手順を表している。ここで、ＤＩＳ信号のＦＩＦの１２７ビットは１、Ｘビットは０とする。
【００６４】
Ｓ４２では、送信が選択されたか否かが判断され、ＹＥＳであるとＳ４４に進み、ＮＯであるとＳ６に進む。
【００６５】
Ｓ４４では、バス２６を介してＮＣＵ２のCMLをオンする。
【００６６】
Ｓ４６は、バス２６を介して、発呼回路を使用して指定された宛先へ発呼する事を表している。
【００６７】
Ｓ４８は、前手順を表している。
【００６８】
Ｓ５０では、操作部の情報を入力して、デジタルスチルカメラ情報の送信が選択されているか否かが判断され、ＹＥＳであるとＳ５２に進み、ＮＯであるとＳ５６に進む。
【００６９】
Ｓ５２では、ＤＩＳ信号のＦＩＦの１２７、Ｘビットは１であるか否かが判断され、ＹＥＳであるとＳ５８に進み、ＮＯであるとＳ５４に進む。
【００７０】
Ｓ５４では、操作部の表示部に、「デジタルスチルカメラ情報の送信ンはできません。」と表示する事を表している。ここで、この表示は何らかのキー操作で消去する。
【００７１】
Ｓ５６では、操作部の情報を入力して、カラー送信が選択されているか否かが判断され、ＹＥＳであるとＳ６４に進み、ＮＯであるとＳ７２に進む。
【００７２】
Ｓ５８は、残りの前手順を実行する。ここで、ＤＣＳ信号のＦＩＦの１２７、Ｘビットを１にする。
【００７３】
Ｓ６０は、ＣＦカードに格納されている色空間ｓＹＣＣでのＪＰＥＧ符号化フルカラー情報の送信を表している。
【００７４】
Ｓ６２は、後手順を表している。
【００７５】
Ｓ６４では、ＤＩＳ信号のＦＩＦの１２７ビットは１であるか否かが判断され、ＹＥＳであるとＳ６６に進み、ＮＯであるとＳ７２に進む。
【００７６】
Ｓ６６は、残りの前手順を実行する。ここで、ＤＣＳ信号のＦＩＦの１２７ビットは１、Ｘビットを０にする。
【００７７】
Ｓ６８は、カラー原稿情報を色空間ｓＹＣＣでのＪＰＥＧ符号化フルカラー情報として送信する事を表している。
【００７８】
Ｓ７０は、後手順を表している。
【００７９】
Ｓ７２は、残りの前手順を実行する。ここで、ＤＣＳ信号のＦＩＦの１２７、Ｘビットを０にする。
【００８０】
Ｓ７４は、モノクロ原稿情報の送信を表している。
【００８１】
Ｓ７６は、後手順を表している。
【図面の簡単な説明】
【００８２】
【図１】本発明によるファクシミリ装置の実施例のブロック図
【図２】本発明によるＤＩＳ／ＤＴＣ、ＤＣＳ信号のＦＩＦ情報の具体例
【図３】本発明の概念図
【図４】本発明による理想系の通信を表した図
【図５】本発明による制御の流れ図
【図６】本発明による制御の流れ図
【図７】本発明による制御の流れ図
【図８】本発明による制御の流れ図
【図９】本発明による制御の流れ図
【符号の説明】
【００８３】
２  NCU
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  コンパクトフラッシュ（登録商標）カード
【図１】
2007043296.tif 000003
【図２】
2007043296.tif 000004
【図３】
2007043296.tif 000005
【図４】
2007043296.tif 000006
【図５】
2007043296.tif 000007
【図６】
2007043296.tif 000008
【図７】
2007043296.tif 000009
【図８】
2007043296.tif 000010
【図９】
2007043296.tif 000011